(57)【要約】【課題】筋力トレーニングが難しい高齢者でも気軽に利用でき、かつ、総合的なバランス能力を向上させることが出来るバランス訓練用歩行面を提供する。【解決手段】歩行方向と直交する方向が水平面４に対して傾斜するとともに、その水平面４に対する傾斜角度が、歩行方向に進むに従い徐々に増加し、その後に徐々に減少する曲面６、８を有するバランス訓練用歩行面。【選択図】図１
2007143753.tif 000002
【特許請求の範囲】
【請求項１】
歩行方向と直交する方向が水平面に対して傾斜するとともに、その水平面に対する傾斜角度が、歩行方向に進むに従い徐々に増加し、その後に徐々に減少する曲面を有することを特徴とするバランス訓練用歩行面。
【請求項２】
歩行方向と同方向の基準線と直交する両方向の線が、水平面に対して傾斜するとともに、その基準線と直交する両傾斜線と前記水平面との傾斜角度が、歩行方向に進むに従い徐々に増加し、その後に徐々に減少する曲面を有することを特徴とするバランス訓練用歩行面。
【請求項３】
歩行方向と同方向の基準線と直交する両方向の線が、水平面に対して傾斜するとともに、その基準線と直交する両傾斜線と水平面との傾斜角度が、歩行方向に進むに従い、略０度から徐々に増加して所定の最大傾斜角度となった後に、前記最大傾斜角度から徐々に減少して略０度となる曲面を有することを特徴とするバランス訓練用歩行面。
【請求項４】
前記両傾斜線は、前記基準線から上方又は下方の同方に向って傾斜することを特徴とする請求項２又は３記載のバランス訓練用歩行面。
【請求項５】
前記傾斜線は、前記基準線に対し左右対称に形成されていることを特徴とする請求項２又は３又は４記載のバランス訓練用歩行面。
【請求項６】
前記両傾斜線が前記基準線から下方向に傾斜する凸状曲面と、前記両傾斜線が前記基準線から上方向に傾斜する凹状曲面とが、前記歩行方向に対して交互に配設されていることを特徴とする請求項２乃至５のいずれかに記載のバランス訓練用歩行面。
【請求項７】
歩行方向と直交する方向が水平面に対して傾斜するとともに、その水平面に対する傾斜角度が、歩行方向に進むに従い徐々に増加し、その後に徐々に減少する曲面を有することを特徴とするバランス訓練用歩行具。
【請求項８】
歩行方向と同方向の基準線と直交する両方向の線が、水平面に対して傾斜するとともに、その基準線と直交する両傾斜線と水平面との傾斜角度が、歩行方向に進むに従い、略０度から徐々に増加して所定の最大傾斜角度となった後に、前記最大傾斜角度から徐々に減少して略０度となる曲面を有するバランス訓練用歩行具であって、
略水平な面と、前記両傾斜線が前記基準線から下方向に傾斜する凸状曲面と、前記両傾斜線が該基準線から上方向に傾斜する凹状曲面を、前記歩行方向に対して連続的又は不連続的に配設したことを特徴とするバランス訓練用歩行具。
【請求項９】
前記基準線を、歩行方向と直交する幅方向の略中央に設け、
前記傾斜線は、前記基準線に対し左右対称に形成されていることを特徴とする請求項８記載のバランス訓練用歩行具。
【請求項１０】
前記歩行方向と同方向に手すりを設けたことを特徴とする請求項７乃至９のいずれかに記載のバランス訓練用歩行具。
【発明の詳細な説明】
【技術分野】
【０００１】
本発明は、バランス訓練用歩行面とそれを用いたバランス訓練用歩行具に関するものである。
【背景技術】
【０００２】
従来、高齢者が健康増進のために使用できる運動施設や遊具として、特許文献１記載の健康増進遊具が提案されている。該健康増進遊具は、円形の歩行面が形成され、この歩行面における左右部を昇り降りできる階段に形成し、左右の階段の最上段を繋ぐ踊り場が形成されている。
【特許文献１】実登第３０７２８９４号公報
【発明の開示】
【発明が解決しようとする課題】
【０００３】
高齢者になるとバランス能力が低下し、転倒し易くなり、転倒により下肢等を骨折して入院すると、そのまま寝たきりの状態となってしまうことが少なくない。そのため、高齢者のバランス能力を向上させることにより、転倒し難くすることが望まれている。    
【０００４】
現在、転倒の予防として、筋力トレーニングを主としたパワーリハビリというものが、老人医療、介護の分野では取り入れられている。しかし、転倒予防の訓練としては筋力トレーニングだけでは不充分であり、バランス能力向上の訓練も必要である。一方、筋力トレーニングが難しい高齢者に対し、どのような訓練を施してよいかが問題となっている。
【０００５】
特許文献１記載のような運動施設や遊具は、筋力トレーニングが難しい高齢者でも使用することはできるが、健康の増進を主目的としており、全身の総合的なバランス能力の向上という観点では効果が少ない。
【０００６】
そこで、本発明は、筋力トレーニングが難しい高齢者でも気軽に利用でき、かつ、総合的なバランス能力を向上させることが出来るバランス訓練用歩行面とそれを用いたバランス訓練用歩行具を提供することを目的とするものである。
【課題を解決するための手段】
【０００７】
前記の課題を解決するために、請求項１記載の発明は、歩行方向と直交する方向が水平面に対して傾斜するとともに、その水平面に対する傾斜角度が、歩行方向に進むに従い徐々に増加し、その後に徐々に減少する曲面を有することを特徴とするバランス訓練用歩行面である。
【０００８】
請求項２記載の発明は、歩行方向と同方向の基準線と直交する両方向の線が、水平面に対して傾斜するとともに、その基準線と直交する両傾斜線と前記水平面との傾斜角度が、歩行方向に進むに従い徐々に増加し、その後に徐々に減少する曲面を有することを特徴とするバランス訓練用歩行面である。
【０００９】
請求項３記載の発明は、歩行方向と同方向の基準線と直交する両方向の線が、水平面に対して傾斜するとともに、その基準線と直交する両傾斜線と水平面との傾斜角度が、歩行方向に進むに従い、略０度から徐々に増加して所定の最大傾斜角度となった後に、前記最大傾斜角度から徐々に減少して略０度となる曲面を有することを特徴とするバランス訓練用歩行面である。
【００１０】
請求項４記載の発明は、請求項２又は３記載のバランス訓練用歩行面において、前記両傾斜線は、前記基準線から上方又は下方の同方に向って傾斜することを特徴とするものである。
【００１１】
請求項５記載の発明は、請求項２又は３又は４記載のバランス訓練用歩行面において、前記傾斜線は、前記基準線に対し左右対称に形成されていることを特徴とするものである。
【００１２】
請求項６記載の発明は、請求項２乃至５のいずれかに記載のバランス訓練用歩行面において、前記両傾斜線が前記基準線から下方向に傾斜する凸状曲面と、前記両傾斜線が前記基準線から上方向に傾斜する凹状曲面とが、前記歩行方向に対して交互に配設されていることを特徴とするものである。
【００１３】
請求項７記載の発明は、歩行方向と直交する方向が水平面に対して傾斜するとともに、その水平面に対する傾斜角度が、歩行方向に進むに従い徐々に増加し、その後に徐々に減少する曲面を有することを特徴とするバランス訓練用歩行具である。
【００１４】
請求項８記載の発明は、歩行方向と同方向の基準線と直交する両方向の線が、水平面に対して傾斜するとともに、その基準線と直交する両傾斜線と水平面との傾斜角度が、歩行方向に進むに従い、略０度から徐々に増加して所定の最大傾斜角度となった後に、前記最大傾斜角度から徐々に減少して略０度となる曲面を有するバランス訓練用歩行具であって、
略水平な面と、前記両傾斜線が前記基準線から下方向に傾斜する凸状曲面と、前記両傾斜線が該基準線から上方向に傾斜する凹状曲面を、前記歩行方向に対して連続的又は不連続的に配設したことを特徴とするバランス訓練用歩行具である。
【００１５】
請求項９記載の発明は、請求項８記載のバランス訓練用歩行具において、前記基準線を、歩行方向と直交する幅方向の略中央に設け、
前記傾斜線は、前記基準線に対し左右対称に形成されていることを特徴とするものである。
【００１６】
請求項１０記載の発明は、請求項７乃至９のいずれかに記載のバランス訓練用歩行具において、前記歩行方向と同方向に手すりを設けたことを特徴とするものである。
【発明の効果】
【００１７】
本発明のバランス訓練用歩行面の曲面の上を歩行することにより、足関節が内反したり、外反したり、底屈したり、背屈する。これにより、足関節の内反、外反、底屈、背屈に関係する筋肉等をストレッチできる。
【００１８】
更に、曲面と曲面に対する足の方向が変化することによって、大腿、下腿、足関節の角度や動きが、種々に変化する。このバランス訓練用歩行面上を歩行訓練することにより、水平でない面においても歩行できるようになり、総合的なバランス能力の向上を図ることができる。
【００１９】
バランス訓練用歩行面は、段差が少なく、比較的緩やかな昇降面に形成できるため、筋力トレーニングが難しい高齢者でも、安全に使用でき、かつ、高齢者への負担が少ないゆっくりとしたペースでバランス能力の向上を図ることが出来る。
【００２０】
請求項５記載の発明によれば、更に、歩行面が、基準線に対して略左右対称に形成されていることにより、身体の左右をバランス良くストレッチすることができ、バランス能力の向上をより一層図ることが出来る。
【００２１】
請求項１０記載の発明によれば、更に、手すりが配設されていることにより、筋力トレーニングが難しい高齢者でも、手すりに掴まりながら歩行でき、躓いて転倒することが少なく、バランス訓練用歩行面の上を安全に歩行できる。
【発明を実施するための最良の形態】
【００２２】
本発明を実施するための最良の形態を図に示す実施例に基づいて説明する。
【実施例１】
【００２３】
図１乃至図１７は実施例１を示す。
図１は、本発明のバランス訓練用歩行具１の斜視図、図２は図１におけるバランス訓練用歩行面２の上方から見た斜視図である。
【００２４】
バランス訓練用歩行具１は、本体部３と、基準面Ｗ（図５参照）となる水平面４を有する第１構成部品５と、凸状曲面６を有する第２構成部品７と、凹状曲面８を有する第３の構成部品９とで構成されている。これらの部品５、９、７、９、５を歩行方向に配置することにより、前記バランス訓練用歩行面２が、水平面４と凸状曲面６と凹状曲面８とで構成されている。
【００２５】
本体部３は、図１、図６、図７に示すように構成されている。なお、本体部３は歩行路を形成するもので、一方向に所望の長さを有する長尺に形成され、使用者が、その長手方向のいずれか一方から入り、他方から出るようになっている。したがって、本体部３の前後方向は特定できないが、説明上、図１のＡ側を前側とし、Ｂ側を後側とする。
【００２６】
前記本体部３は木製で形成され、一対の側枠１０ａ、１０ｂを有し、該一対の側枠１０ａ、１０ｂ間の下部の前端には前棧１１が設けられ、後端には後棧１２が設けられている。また、前記一対の側枠１０ａ、１０ｂ間の下部で、前記前棧１１と後棧１２との間には、所定の間隔で中間棧１４が複数設けられている。前棧１１、後棧１２、中間棧１４は、ボルト１５により側枠１０ａ、１０ｂに固着されている。側枠１０ａ、１０ｂの前後方向の長さは任意である。
【００２７】
側枠１０ａ、１０ｂの両外側には支柱１７、１７が所定の間隔で立設され、支柱１７、１７に側枠１０ａ、１０ｂがボルト１９により固着されている。側枠１０ａ、１０ｂ、の下面と地面との間には空間２１が設けられ、本実施例においては、側板１０ａ、１０ｂの下端と地面との間の距離Ｌ１は、５０ｍｍに設定されている。前記前棧１１、後棧１２、中間棧１４の下面と地面との間には脚２２が配設され、前棧１１、後棧１２、中間棧１４の下面と地面との間には空間２１が形成されている。
【００２８】
左右の支柱１７、１７の上部の内側で、かつ、最前端の支柱１７から最後端の支柱１７間に亘って、手すり２４、２４が略平行に設けられている。手すり２４、２４間の距離Ｌ２は、手すり２４と２４間の略中心に人が立った場合に、左右の手すり２４、２４に楽に両手が届く距離に設定され、本実施例においては５５４ｍｍに設定されている。
【００２９】
前記第１構成部品５は木製で、図８、図９に示すように、前枠３０と後枠３１を有し、前枠３０と後枠３１間に側板３２、３２が前後方向に配設され、側板３２、３２間の略中央に棧３３が前後方向に配設されている。側板３２、３２と棧３３は、前枠３０、後枠３１にボルト３５により固着されている。
【００３０】
前枠３０と後枠３１の横幅は、本体部３の側枠１０ａ、１０ｂ間の距離（内のり寸法）よりも若干狭く設定されている。また、第１構成部品５を、本体部３の側枠１０ａ、１０ｂ間で、かつ、前枠３０を本体部３の前棧１１の上面に載置した時に、後枠３１が本体部３の中間棧１４の上面に載置するように設定されている。
【００３１】
前枠３０と後枠３１と側板３２、３２と棧３３の上面は、略同一平面に形成されている。前枠３０と後枠３１と側板３２、３２と棧３３の上面で、側板３２、３２間に亘って踏み板３６が所定の間隔で配設され、踏み板３６は、前枠３０と後枠３１と側板３２、３２と棧３３にボルト３７により固着されている。各踏み板３６の上面は略同一平面に配置されて水平面４を形成し、該水平面４が基準面Ｗを形成している。
【００３２】
前記第２構成部品７は木製で、図１０、図１１に示すように、前枠４０と後枠４１を有し、前枠４０と後枠４１間に側板４２、４２が配設され、側板４２、４２は、前枠４０、後枠４１にボルト４３により固着されている。前枠４０と後枠４１の横幅は、前記第１構成部品５の前枠３０と後枠３１の横幅と略同等に設定されている。また、前棧４０と後棧４１は、前記本体部３の中間棧１４の上面に載置するように設定されている。前記側板４２、４２間には、所定の間隔で受棧４４が複数配設され、受棧４４は側板４２、４２にボルト４８により固着されている。
【００３３】
前枠４０と受棧４４は、図１２に示すように、その上面を、左右方向の中央部（基準線）Ｘに向って上方に傾斜する傾斜面４５ａ、４５ｂとした凸状の五角形に形成されている。左右の傾斜面４５ａ、４５ｂと基準面Ｗとのそれぞれの角度α、βは略同じ値となるように設定してもよいし、異なる値に設定しても良いが、本実施例１においてはα＝βに設定されている。
【００３４】
前枠４０における傾斜面４５ａ、４５ｂの傾斜角度、すなわち、基準面Ｗとの角度（以下、傾斜角度ともいう）α、βは、所望に設定し、本実施例１においては、α＝β＝２．５°に設定されている。また、後枠４１における傾斜面４５ａ、４５ｂと基準面Ｗとの角度（以下、傾斜角度ともいう）α、βは、所望に設定し、本実施例１においては、α＝β＝約２．５°に設定されている。
【００３５】
最前端と最後端に位置する受棧４４ｃ、４４ｄにおける傾斜面４５ａ、４５ｂと基準面Ｗとの角度α、βは、前枠４０と後枠４１における傾斜面４５ａ、４５ｂの傾斜角度α、βよりも大きく設定し、本実施例１においては５°に設定されている。各受棧４４における傾斜面４５ａ、４５ｂの傾斜角度α、βは、前枠４０側から前後方向の中間に位置する受棧４４ｅに至るほど徐々に増加し、所定の最大の傾斜角度となるまで増加するように設定され、所定の最大の傾斜角度に至った後は、後枠４１に至るほど徐々に減少するように設定されている。本実施例１においては、隣接する受棧４４における傾斜面４５ａ、４５ｂの傾斜角度α、βとの差は２．５度に設定され、中間に位置する受棧４４ｅにおける最大の傾斜角度は１２．５度に設定されている。つまり、最前端に位置する受棧４４ｃの傾斜面４５ａ、４５ｂの傾斜角度α、βは５度に設定され、受棧４４における傾斜面４５ａ、４５ｂの傾斜角度α、βは、中間に位置する受棧４４ｅに至るほど２．５度ずつ徐々に増加していき、最大の傾斜角度は１２．５度となるまで増加する。また、中間に位置する受棧４４ｅから後枠４１に至る受棧４４における傾斜面４５ａ、４５ｂの傾斜角度α、βは、中間に位置する受棧４４ｅにおける最大の傾斜角度１２．５度から後枠４１に至るほど２．５度ずつ徐々に減少していき、最後端に位置する受棧４４ｄの傾斜面４５ａ、４５ｂの傾斜角度α、βは５度に設定されている。
【００３６】
前枠４０と後枠４１と受棧４４における傾斜面４５ａ、４５ｂの上面には、各々略同じ大きさの踏み板４７、４７が設けられている。踏み板４７は、その下面に溝を設け、該溝に前記前枠４０、後枠４１、受棧４４を嵌合して、傾斜面４５ａ、４５ｂの上面にボルト４９により固着されている。踏み板４７の前後方向の幅は、受棧４４、４４間の距離よりも若干短く設定され、踏み板４７の左右方向の幅は、前記傾斜面４５ａ、４５ｂの左右方向の長さより大きく設定されている。
【００３７】
左右の踏み板４７の上面４７ａにより凸状曲面６が形成される。凸状曲面６は、前記のように前枠４０と後枠４１と受棧４４の上面が傾斜していることにより、第２構成部品７の幅方向の略中央線（基準線）Ｘと直交する傾斜線（傾斜面）Ｙ、Ｚと基準面Ｗとの角度α、βは、前後方向（歩行方向）に向かうに従い、徐々に増加して所定の最大傾斜角度となった後に、前記最大傾斜角度から徐々に減少する折曲面に形成されている。したがって、凸状曲面６の前記傾斜線Ｙ、Ｚは、幅方向の略中央線（基準線）から下方向に傾斜している。
【００３８】
また、本実施例１においては、凸状曲面６は、幅方向の略中央線（基準線）に対して略左右対称に形成されている。
【００３９】
前記第３構成部品９は木製で、図１３、図１４に示すように、前枠５０と後枠５１を有し、前枠５０と後枠５１間に側板５２、５２が配設され、側板５２、５２は、前枠５０、後枠５１にボルト５３により固着されている。前枠５０と後枠５１の横幅は、前記第１構成部品５の前枠３０と後枠３１の横幅と略同等に設定されている。また、前棧５０と後棧５１は、前記本体部３における中間棧１４の上面に載置するように設定されている。前記側板５２、５２間には、所定の間隔で受棧５４が複数配設され、受棧５４は側板５２、５２にボルト５８により固着されている。
【００４０】
前枠５０と後枠５１と受棧５４は、図１５に示すように、その上面を、左右方向の中央部（基準線）Ｘに向って下方に傾斜する傾斜面５５ａ、５５ｂとした凹状の五角形に形成されている。前記第１構成部品５の基準面Ｗと、左右の傾斜面５５ａ、５５ｂとのそれぞれの角度γ、δは略同じ値となるように設定してもよいし、異なる値に設定しても良いが、本実施例１においてはγ＝δに設定されている。
【００４１】
前枠５０における傾斜面５５ａ、５５ｂの傾斜角度、すなわち、基準面Ｗとの角度（以下、傾斜角度ともいう）γ、δは、所望に設定し、本実施例１においては、γ＝δ＝２．５°に設定されている。後枠５１における傾斜面５５ａ、５５ｂと基準面Ｗとの角度（以下、傾斜角度ともいう）γ、δは、所望に設定し、本実施例１においては、γ＝δ＝約０°、つまり、前記本体部３の中間棧１４の上面と同様に略水平面に形成されている。
【００４２】
最前端に位置する受棧５４ｃにおける傾斜面５５ａ、５５ｂと基準面Ｗとの角度γ、δは、前枠５０における傾斜面５５ａ、５５ｂの傾斜角度γ、δよりも大きく設定し、本実施例１においては５°に設定されている。各受棧５４における傾斜面５５ａ、５５ｂの傾斜角度γ、δは、前枠５０側から中間受棧（前方Ａから４番面に位置する受棧）５４ｅに至るほど徐々に増加し、中間受棧５４ｅにおいて所定の最大の傾斜角度となるまで増加するように設定され、所定の最大の傾斜角度に至った後は、後枠５１に至るほど徐々に減少するように設定されている。本実施例１においては、隣接する受棧５４における傾斜面５５ａ、５５ｂの傾斜角度γ、δとの差は２．５度に設定され、中間受棧５４ｅにおける最大の傾斜角度は１２．５度に設定されている。つまり、最前端に位置する受棧５４ｃの傾斜面５５ａ、５５ｂの傾斜角度γ、δは５度に設定され、受棧５４における傾斜面５５ａ、５５ｂの傾斜角度γ、δは、中間受棧５４ｅに至るほど２．５度ずつ徐々に増加していき、最大の傾斜角度は１２．５度となるまで増加する。また、中間受棧５４ｅから後棧５１に至る受棧５４における傾斜面５５ａ、５５ｂの傾斜角度γ、δは、中間受棧５４ｅにおける最大の傾斜角度１２．５度から後枠５１に至るほど２．５度ずつ徐々に減少していき、最後端に位置する受棧５４ｄの傾斜面５５ａ、５５ｂの傾斜角度γ、δは２．５度に設定されている。
【００４３】
前枠５０と後枠５１と受棧５４における傾斜面５５ａ、５５ｂの上面には、各々略同じ大きさの踏み板５７、５７が設けられている。踏み板５７は、その下面に溝を設け、該溝に前記前枠５０、後枠５１、受棧５４を嵌合して、傾斜面５５ａ、５５ｂの上面にボルト５９により固着されている。踏み板５７の前後方向の幅は、受棧５４、５４間の距離よりも若干短く設定され、踏み板５７の左右方向の幅は、前記傾斜面５５ａ、５５ｂの長さより大きく設定されている。
【００４４】
左右の踏み板５７の上面５７ａにより凹状曲面８が形成される。凹状曲面８は、前記のように前枠５０と後枠５１と受棧５４の上面が傾斜していることにより、第３構成部品９の幅方向の略中央線（基準線）Ｘと直交する傾斜線（傾斜面）Ｙ、Ｚと基準面Ｗとの角度γ、δは、前後方向（歩行方向）に向かうに従い、徐々に増加して所定の最大傾斜角度となった後に、前記最大傾斜角度から徐々に減少する折曲面に形成されている。また、凹状曲面８の前記傾斜線Ｙ、Ｚは、幅方向の略中央線（基準線）から上方向に傾斜している。
【００４５】
また、本実施例１においては、凹状曲面８は、中央線（基準線）Ｘに対して略左右対称に形成されている。
【００４６】
前記本体部３の前棧１１、後棧１２、中間棧１４の上面には、図３、図４に示すように、前側Ａ方向から順に第１構成部品５、第３構成部品９、第２の構成部品７、前後の向きを逆にした第３構成部品９、第１構成部品５が配設され、第１構成部品５、第２構成部品７、第３の構成部品９の前枠３０、４０、５０と後枠３１、４１、５１の両端部が、側枠１０ａ、１０ｂの内面にボルト６０により固着されている。
【００４７】
上記の構成により、歩行面の片側に、内側が下降する傾斜面から外側が下降する傾斜面に緩やかに移行し、更に、外側が下降する傾斜面から内側が下降する傾斜面に緩やかに移行する波状の面が形成され、かつ、この面が歩行面の両側において左右対称に形成される。
【００４８】
本願発明のバランス訓練用歩行具１は、上記の構造を有しているために、次のような作用、効果を奏する。
【００４９】
本願発明のバランス訓練用歩行具１は、公園等の屋外や室内で使用することが出来る。
前記のバランス訓練用歩行面２は、段差が少なく、緩やかな曲面で形成されており、また、左右に手すり２４、２４が配設されていることにより、筋力トレーニングが難しい高齢者でも、手すり２４に掴まりながら歩行でき、躓いて転倒することが少なく、バランス訓練用歩行面２の上を安全に歩行できる。
【００５０】
また、歩行面における中央から一方の片側の面に歩行者の一方の片足を位置させ、他方の片側に他方の足を位置させて歩行することにより、凸状曲面６上を歩行する際には、図１６に示すように、左右の足関節が内側方向に傾斜し、つまり、足の裏の外側方向が下側に、内側方向が上側となるように傾斜（内反）する。また、凹状曲面８上を歩行する際には、図１７に示すように、左右の足関節が外側方向に傾斜し、つまり、足の裏の内側方向が下側に、外側方向が上側となるように傾斜（外反）する。また、凸状曲面６及び凹状曲面８上を歩行することにより、足関節が底屈（つま先が下がる）したりや背屈（つま先が上がる）したりする。
【００５１】
これにより、下腿三頭筋や足関節の内反、外反、底屈、背屈に関係する筋肉等をストレッチできる。
【００５２】
また、凸状曲面６及び凹状曲面８上に対し、足を載せる位置や方向が変化することによって、大腿、下腿、足関節の角度や動きが、種々に変化する。
【００５３】
このようなバランス訓練用歩行面２上を歩行する訓練を行なうことにより、水平でない不安定な面においても歩行することができるようになり、バランス能力の向上を図ることができる。
【００５４】
また、凸状曲面６と凹状曲面８は、中央線（基準線）Ｘに対して略左右対称に形成されていることにより、身体の左右をバランス良くストレッチすることができ、バランス能力のより一層の向上を図ることが出来る。
【００５５】
従って、本願発明のバランス訓練用歩行具１は、筋力トレーニングが難しい高齢者でも、安全に使用でき、かつ、高齢者への負担が少ないゆっくりとしたペースでバランス能力の向上を図ることが出来る。
【実施例２】
【００５６】
前記実施例１においては、前記本体部３の上部に、前側方向から順に第１構成部品５、第３構成部品９、第２の構成部品７、第３構成部品９、第１構成部品５が配設されているが、前後端に第１構成部品５が位置すればよく、その間の配列の順番は任意で、例えば、前側から順に第２構成部品７、第３の構成部品９、第２構成部品７としても良いし、前側から順に第３構成部品９、第３の構成部品９、第２構成部品７としても良い。また、第２構成部品７と第３構成部品９との間に第１構成部品５を配設しても良い。つまり、本体部３の上部に、第１構成部品５と第２構成部品７と第３の構成部品９を連続的又は不連続的に配設してもよい。
【００５７】
また、訓練者の状態に応じて、ボルト６０を取外して、側枠１０ａ、１０ｂから第１構成部品５、第２構成部品７、第３の構成部品９を取外し、第１〜第３構成部品を任意の順番に組み替えることが出来る。また、訓練者の状態に応じて、凸状曲面６や凹状曲面８の傾斜の角度が急なものや緩やかなものを有する構成部品に置き換えても良い。
【００５８】
また、前記実施例１においては、第２構成部品７の数と第３の構成部品９の数の合計数を３としたが、バランス訓練用歩行具１の前後の長さに応じて、第２構成部品７の数と第３の構成部品９の数の合計数を２や４など任意の数に設定できる。また、前記第１構成部品５は、本体部３に設けなくてもよい。
【００５９】
その他の部材については、前記実施例１と同様の構造を有するため、その説明を省略する。
【００６０】
また、本実施例２においても、前記実施例１と同様の作用、効果を奏する。
【実施例３】
【００６１】
前記実施例１においては、基準線Ｘを歩行面における左右方向の略中央に設定したが、略中央ではなく左右のいずれかに偏芯した位置に基準線を設定しても良い。
【００６２】
その他の部材については、前記実施例１、２と同様の構造を有するため、その説明を省略する。
【００６３】
また、本実施例３においても、前記実施例１、２と同様の作用、効果を奏する。
【実施例４】
【００６４】
前記実施例１においては、バランス訓練用歩行具１を直線状に形成したが、歩行方向に蛇行するように形成してもよいし、一方向に曲がる螺旋形状に形成してもよい。
【００６５】
その他の部材については、前記実施例１乃至３と同様の構造を有するため、その説明を省略する。
【００６６】
また、本実施例４においても、前記実施例１乃至３と同様の作用、効果を奏する。
【実施例５】
【００６７】
図１８は実施例５を示す。
前記実施例１においては、歩行面の左右方向の傾斜を、中央線（基準線）Ｘに対して略左右対称に形成し、中央線と直交する２方向の傾斜線（傾斜面）を設けたが、本実施例５におけるバランス訓練用歩行面６２は、基準線を設けず、歩行方向（前後方向）に直交する一端側から他端側にむかって傾斜する一つの傾斜線で形成したものである。
【００６８】
本実施例５は、前記本体部３の前棧１１、後棧１２、中間棧１４上面に、前記実施例１の第２構成部品７、第３の構成部品９の換わりに第４の構成部品６５と第４構成部品６５の前後の向きを逆にしたものとを交互に載置したものである。
【００６９】
前記第４構成部品６５は木製で、図１８に示すように、前枠７０と後枠７１を有し、前枠７０と後枠７１間に側板７２、７２が配設され、側板７２、７２は、前枠７０、後枠７１にボルト７３により固着されている。前枠７０と後枠７１の横幅は、前記第１構成部品５の前枠３０と後枠３１の横幅と略同等に設定されている。また、前棧７０と後棧７１は、前記本体部３の中間棧１４の上面に載置するように設定されている。前記側板７２、７２間には、所定の間隔で受棧７４が複数配設され、受棧７４は側板７２、７２にボルト７８により固着されている。
【００７０】
前枠７０と受棧７４は、図１８に示すように、その上面を左右方向に向って傾斜する傾斜面とした四角形に形成されている。前枠７０における傾斜面の傾斜角度、すなわち、基準面Ｗとの角度（以下、傾斜角度ともいう）は、所望に設定し、本実施例５においては、２．５°に設定されている。また、後枠７１における傾斜面と基準面Ｗとの角度は、所望に設定し、本実施例５においては、２．５°に設定されている。
【００７１】
最前端と最後端に位置する受棧７４ｃ、７４ｄにおける傾斜面と基準面Ｗとの角度は、前枠７０と後枠７１における傾斜面の傾斜角度よりも大きく設定し、本実施例５においては５°に設定されている。各受棧７４における傾斜面の傾斜角度は、前枠７０側から前後方向の中間に位置する受棧７４ｅに至るほど徐々に増加し、所定の最大の傾斜角度となるまで増加するように設定され、所定の最大の傾斜角度に至った後は、後枠７１に至るほど徐々に減少するように設定されている。本実施例５においては、隣接する受棧７４における傾斜面の傾斜角度との差は２．５度に設定され、中間に位置する受棧７４ｅにおける最大の傾斜角度は１２．５度に設定されている。つまり、最前端に位置する受棧７４ｃの傾斜面の傾斜角度は５度に設定され、受棧７４における傾斜面の傾斜角度は、中間に位置する受棧７４ｅに至るほど２．５度ずつ徐々に増加していき、最大の傾斜角度は１２．５度となるまで増加する。また、中間に位置する受棧７４ｅから後枠７１に至る受棧７４における傾斜面の傾斜角度は、中間に位置する受棧７４ｅにおける最大の傾斜角度１２．５度から後枠７１に至るほど２．５度ずつ徐々に減少していき、最後端に位置する受棧７４ｄの傾斜面の傾斜角度は５度に設定されている。
【００７２】
前枠７０と後枠７１と受棧７４における傾斜面の上面には、各々略同じ大きさの踏み板７７が設けられている。踏み板７７は、その下面に溝を設け、該溝に前記前枠７０、後枠７１、受棧７４を嵌合して、傾斜面の上面にボルト７９により固着されている。踏み板７７の前後方向の幅は、受棧７４間の距離よりも若干短く設定され、踏み板７７の左右方向の幅は、前記傾斜面の左右方向の長さより多きく設定されている。
【００７３】
踏み板７７の上面７７ａにより曲面６６が形成される。該曲面６６は、前記のように前枠７０と後枠７１と受棧７４の上面が傾斜していることにより、第４構成部品６５の進行方向Ｘに直交する傾斜線（傾斜面）Ｙと基準面Ｗとの角度は、進行方向（前後方向）に向かうに従い、徐々に増加して所定の最大傾斜角度となった後に、前記最大傾斜角度から徐々に減少する折曲面に形成されている。
【００７４】
その他の部材については、前記実施例１乃至４と同様の構造を有するため、その説明を省略する。
【００７５】
バランス訓練用歩行面６２は、段差が少なく、緩やかな曲面で形成されており、また、左右に手すり２４、２４が配設されていることにより、筋力トレーニングが難しい高齢者でも、手すり２４に掴まりながら歩行でき、躓いて転倒することが少なく、バランス訓練用歩行面６２の上を安全に歩行できる。
【００７６】
また、曲面６６上を歩行することにより、前記実施例１と同様に、足関節が内反したり、外反したり、底屈したり、背屈する。これにより、足関節の内反、外反、底屈、背屈に関係する筋肉等をストレッチできる。
【００７７】
曲面６６上に足を載せる位置や方向によって、大腿、下腿、足関節の角度や動きが、種々に変化する。
【００７８】
このようなバランス訓練用歩行面６２上を歩行する訓練を行なうことにより、水平でない不安定な面においても歩行することができるようになり、バランス能力の向上を図ることができる。
【００７９】
従って、筋力トレーニングが難しい高齢者歩行でも、安全に使用でき、かつ、高齢者への負担が少ないゆっくりとしたペースでバランス能力の向上を図ることが出来る。
【実施例６】
【００８０】
前記実施例１乃至５においては、バランス訓練用歩行面２、６２を木製の板で形成したが、金属製の板材等を曲げ加工して形成してもよいし、型枠等を用いて樹脂により形成してもよい。
【００８１】
その他の部材については、前記実施例１乃至５と同様の構造を有するため、その説明を省略する。
【００８２】
また、本実施例６においても、前記実施例１乃至５と同様の作用、効果を奏する。
【実施例７】
【００８３】
前記実施例１乃至６においては、バランス訓練用歩行面２、６２を本体部３の前棧１１、後棧１２、中間棧１４の上部に配設したが、地面に埋設しても良く、前記のバランス訓練用歩行面２、６２と同様の面を地面にコンクリート等によって形成しても良い。
【００８４】
その他の部材については、前記実施例１乃至６と同様の構造を有するため、その説明を省略する。
【００８５】
また、本実施例６においても、前記実施例１乃至６と同様の作用、効果を奏する。
【図面の簡単な説明】
【００８６】
【図１】本発明の実施例１を示すバランス訓練用歩行具の斜視図。
【図２】本発明の実施例１におけるバランス訓練用歩行面を上面から見た斜視図。
【図３】本発明の実施例１を示すバランス訓練用歩行具の上面図。
【図４】図３から一方の側枠と支柱を取り除いた状態の側面図。
【図５】図３の正面図。
【図６】本発明の実施例１における本体部の斜視図。
【図７】本発明の実施例１における本体部を示すもので、（ａ）は上面図、（ｂ）は側面図、（ｃ）は正面図。
【図８】本発明の実施例１における第１構成部品の斜視図。
【図９】本発明の実施例１における第１構成部品を示すもので、（ａ）は上面図、（ｂ）は側面図、（ｃ）は正面図。
【図１０】本発明の実施例１における第２構成部品の斜視図。
【図１１】本発明の実施例１における第２構成部品を示すもので、（ａ）は上面図、（ｂ）は側面図、（ｃ）は正面図。
【図１２】本発明の実施例１における第２構成部品の受棧と踏み板の関係を示す図。
【図１３】本発明の実施例１における第３構成部品の斜視図。
【図１４】本発明の実施例１における第３構成部品を示すもので、（ａ）は上面図、（ｂ）は側面図、（ｃ）は正面図。
【図１５】本発明の実施例１における第３構成部品の受棧と踏み板の関係を示す図。
【図１６】本発明の実施例１における凸状曲面上に人が立ったときの足関節の状態を示す図。
【図１７】本発明の実施例１における凹状曲面上に人が立ったときの足関節の状態を示す図。
【図１８】本発明の実施例５における第４構成部品を示すもので、（ａ）は上面図、（ｂ）は側面図、（ｃ）は正面図。
【符号の説明】
【００８７】
１、  バランス訓練用歩行具
２、６２  バランス訓練用歩行面
４  水平面（基準面）
６  凸状曲面（曲面）
８  凹状曲面（曲面）
２４  手すり
６６  曲面
Ｘ  基準線
Ｙ、Ｚ  傾斜線
Ｗ  基準面
【図１】
2007143753.tif 000003
【図２】
2007143753.tif 000004
【図３】
2007143753.tif 000005
【図４】
2007143753.tif 000006
【図５】
2007143753.tif 000007
【図６】
2007143753.tif 000008
【図７】
2007143753.tif 000009
【図８】
2007143753.tif 000010
【図９】
2007143753.tif 000011
【図１０】
2007143753.tif 000012
【図１１】
2007143753.tif 000013
【図１２】
2007143753.tif 000014
【図１３】
2007143753.tif 000015
【図１４】
2007143753.tif 000016
【図１５】
2007143753.tif 000017
【図１６】
2007143753.tif 000018
【図１７】
2007143753.tif 000019
【図１８】
2007143753.tif 000020